【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
成膜材料と、
前記成膜材料が溶解または分散される液性媒体と、を有し、
前記液性媒体は、粘度が２０ｃＰ未満である第１成分と、前記第１成分の大気圧上での沸点に対して±３０℃以内の大気圧上での沸点を有し、粘度が２０ｃＰ以上である第２成分とを含有し、
前記第２成分は、前記第１成分１００重量部に対して、２０重量部以上５００重量部以下の含有量で含まれ、
前記第１成分は、大気圧上での沸点が２００℃以上３００℃以下であることを特徴とする成膜用インク。
【請求項２】
前記成膜用インクは、その粘度が２０ｃＰ未満である請求項１に記載の成膜用インク。
【請求項３】
前記液性媒体は、前記第１成分および前記第２成分のうち大気圧上での沸点が高いものの沸点より、大気圧上での沸点が低く、粘度が２０ｃＰ未満である第３成分を含有する請求項１または２に記載の成膜用インク。
【請求項４】
前記第３成分は、その大気圧上での沸点が２００℃以上２７０℃以下である請求項３に記載の成膜用インク。
【請求項５】
前記成膜用インクにおける成膜材料の含有率は０．０１ｗｔ％〜１０ｗｔ％である請求項１ないし４のいずれか１項に記載の成膜用インク。
【請求項６】
前記第１成分は、その０．５ｗｔ％以上の重量の前記成膜材料を溶解し得る溶解度を有する請求項１ないし５のいずれか１項に記載の成膜用インク。
【請求項７】
前記第２成分は、前記成膜材料を溶解する溶解度が前記第１成分よりも低い請求項６に記載の成膜用インク。
【請求項８】
前記第２成分は、水酸基を備える請求項１ないし７のいずれか１項に記載の成膜用インク。
【請求項９】
前記第２成分は、芳香族を備える請求項８に記載の成膜用インク。
【請求項１０】
前記第２成分は、アセテート基を備える請求項８または９に記載の成膜用インク。
【請求項１１】
前記成膜用インクは、液滴として基板上の隔壁が有する開口部に供給した後、乾燥させることで成膜されるものである請求項１ないし１０のいずれか１項に記載の成膜用インク。
【請求項１２】
請求項１ないし１１のいずれか１項に記載の成膜用インクを、基材上に設けられた隔壁が備える開口部内に液滴として供給して、液状被膜を形成する工程と、
前記液状被膜を加熱して乾燥させることで、前記開口部内に膜を成膜する工程と、を有することを特徴とする成膜方法。
【手続補正２】
【補正対象書類名】明細書
【補正対象項目名】発明の名称
【補正方法】変更
【補正の内容】
【発明の名称】成膜用インクおよび成膜方法
【手続補正３】
【補正対象書類名】明細書
【補正対象項目名】０００１
【補正方法】変更
【補正の内容】
【０００１】
本発明は、成膜用インクおよび成膜方法に関する。
【手続補正４】
【補正対象書類名】明細書
【補正対象項目名】００１１
【補正方法】変更
【補正の内容】
【００１１】
本発明の目的は、隔壁が備える開口部内に液滴として供給される成膜用インクの隔壁面への染み上がりが抑制または防止され、これにより、均一な膜厚で膜を開口部内に成膜し得る成膜用インクおよび成膜方法を提供することにある。
【手続補正５】
【補正対象書類名】明細書
【補正対象項目名】００１２
【補正方法】変更
【補正の内容】
【００１２】
このような目的は、下記の本発明により達成される。
本発明の成膜用インクは、成膜材料と、
前記成膜材料が溶解または分散される液性媒体と、を有し、
前記液性媒体は、粘度が２０ｃＰ未満である第１成分と、前記第１成分の大気圧上での沸点に対して±３０℃以内の大気圧上での沸点を有し、粘度が２０ｃＰ以上である第２成分とを含有し、
前記第２成分は、前記第１成分１００重量部に対して、２０重量部以上５００重量部以下の含有量で含まれ、
前記第１成分は、大気圧上での沸点が２００℃以上３００℃以下であることを特徴とする。
【手続補正６】
【補正対象書類名】明細書
【補正対象項目名】００１９
【補正方法】変更
【補正の内容】
【００１９】
本発明の成膜用インクでは、前記成膜用インクにおける成膜材料の含有率は０．０１ｗｔ％〜１０ｗｔ％であることが好ましい。
【手続補正７】
【補正対象書類名】明細書
【補正対象項目名】００２０
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】変更
【補正の内容】
【００３５】
【図１】本発明の成膜方法を説明するための図である。
【図２】本発明の成膜方法に用いる液滴吐出装置の概略構成を示す斜視図である。
【図３】図２の液滴吐出装置が備える液滴吐出ヘッドの概略構成を説明するための模式図である。
【図４】膜付きデバイスの一例である発光装置およびカラーフィルタを備える表示装置を示す断面図である。
【図５】図４に示す表示装置に備えられた発光装置の発光素子の一例を示す断面図である。
【図６】本発明の成膜方法を表示装置が備える発光素子の積層体の製造に適用した場合を説明する図である。
【図７】本発明の成膜方法をカラーフィルタの製造に適用した場合を説明する図である。
【図８】電子機器を適用したモバイル型（またはノート型）のパーソナルコンピュータの構成を示す斜視図である。
【図９】電子機器を適用した携帯電話機（ＰＨＳも含む）の構成を示す斜視図である。
【図１０】電子機器を適用したディジタルスチルカメラの構成を示す斜視図である。
【図１１】隔壁の開口部内に成膜された膜の膜厚を測定した位置を示す図（グラフ）である。
【手続補正１２】
【補正対象書類名】明細書
【補正対象項目名】０１３９
【補正方法】変更
【補正の内容】
【０１３９】
（表示装置）
次に、膜付きデバイスについて説明する。
【手続補正１３】
【補正対象書類名】明細書
【補正対象項目名】０１４０
【補正方法】変更
【補正の内容】
【０１４０】
図４は、膜付きデバイスの一例である発光装置およびカラーフィルタを備える表示装置を示す断面図、図５は、図４に示す表示装置に備えられた発光装置の発光素子の一例を示す断面図である。なお、以下では、説明の都合上、図４中および図５中の上側を「上」、下側を「下」として説明を行う。
【手続補正１４】
【補正対象書類名】明細書
【補正対象項目名】０２９１
【補正方法】変更
【補正の内容】
【０２９１】
（電子機器）
図８は、電子機器を適用したモバイル型（またはノート型）のパーソナルコンピュータの構成を示す斜視図である。
【手続補正１５】
【補正対象書類名】明細書
【補正対象項目名】０２９４
【補正方法】変更
【補正の内容】
【０２９４】
図９は、電子機器を適用した携帯電話機（ＰＨＳも含む）の構成を示す斜視図である。
【手続補正１６】
【補正対象書類名】明細書
【補正対象項目名】０２９６
【補正方法】変更
【補正の内容】
【０２９６】
図１０は、電子機器を適用したディジタルスチルカメラの構成を示す斜視図である。なお、この図には、外部機器との接続についても簡易的に示されている。
【手続補正１７】
【補正対象書類名】明細書
【補正対象項目名】０３０３
【補正方法】変更
【補正の内容】
【０３０３】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、データ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
このような膜付きデバイスを有する電子機器は、優れた信頼性を有する。
【手続補正１８】
【補正対象書類名】明細書
【補正対象項目名】０３０４
【補正方法】変更
【補正の内容】
【０３０４】
なお、電子機器は、図８のパーソナルコンピュータ（モバイル型パーソナルコンピュータ）、図９の携帯電話機、図１０のディジタルスチルカメラの他にも、例えば、テレビや、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。
【手続補正１９】
【補正対象書類名】明細書
【補正対象項目名】０３０５
【補正方法】変更
【補正の内容】
【０３０５】
以上、本発明の成膜用インクおよび成膜方法を、図示の実施形態に基づいて説明したが、本発明はこれらに限定されるものでない。
【手続補正２０】
【補正対象書類名】明細書
【補正対象項目名】０３０８
【補正方法】変更
【補正の内容】
【０３０８】
また、膜付きデバイスとしては、前述したカラーフィルタ、発光装置、配線基板に限定されず、成膜用インクを用いて形成された膜を有するデバイスであれば、様々なデバイスに適用できる。